(57)【要約】【課題】座位の時間が長時間継続しないようにすることで、健康状態を良好に保つ。【解決手段】本開示に係る情報処理装置は、ユーザの運動状態に関する情報に基づいて、ユーザの前記運動状態が座位の状態であるか立位の状態であるかを判断する判断部と、ユーザの前記運動状態が座位の状態から立位の状態に変わった時刻及びユーザの前記運動状態が座位の状態から立位の状態に変わった回数の少なくともいずれか一方を表示するための処理を行う表示処理部と、を備える。【選択図】図２
2018078998.tif 000002
【特許請求の範囲】
【請求項１】
ユーザの運動状態に関する情報に基づいて、ユーザの前記運動状態が座位の状態であるか立位の状態であるかを判断する判断部と、
ユーザの前記運動状態が座位の状態から立位の状態に変わった時刻及びユーザの前記運動状態が座位の状態から立位の状態に変わった回数の少なくともいずれか一方を表示するための処理を行う表示処理部と、
を備える、情報処理装置。
【請求項２】
前記判断部は、前記情報に基づいて、ユーザの運動量が歩行相当の運動量以下であって座位相当の運動量を超える場合に立位であると判定する、請求項１に記載の情報処理装置。
【請求項３】
前記表示処理部は、ユーザが所定時間内に座位の状態から立位の状態に変わった回数を表示するための処理を行う、請求項１に記載の情報処理装置。
【請求項４】
前記判断部は、前記情報に基づいて、ユーザの前記運動状態が歩行相当の運動量を超えている場合にユーザの前記運動状態が活動の状態であると判定し、
前記表示処理部は、ユーザが座位、立位、活動のいずれかの状態にあるかを表示する、請求項１に記載の情報処理装置。
【請求項５】
ユーザの前記運動状態が座位の状態から立位の状態に変わった場合に、座位が継続していた時間を認識する認識部を備え、
前記表示処理部は、座位が連続していた時間を表示するための処理を行う、請求項１に記載の情報処理装置。
【請求項６】
前記認識部は、座位が継続していた時間と１又は複数のしきい値とを比較した比較結果を認識し、
前記表示処理部は、前記比較結果を表示するための処理を行う、請求項５に記載の情報処理装置。
【請求項７】
ユーザの前記運動状態が座位の状態から立位の状態に変わった前記時刻及びユーザの前記運動状態が座位の状態から立位の状態に変わった前記回数の少なくともいずれか一方を音声出力するための処理を行う音声制御部を更に備える、請求項１に記載の情報処理装置。
【請求項８】
ユーザの運動状態に関する情報に基づいて、ユーザの前記運動状態が座位の状態であるか立位の状態であるかを判断する手段、
ユーザの前記運動状態が座位の状態から立位の状態に変わった時刻及びユーザの前記運動状態が座位の状態から立位の状態に変わった回数の少なくともいずれか一方を表示するための処理を行う手段、
としてコンピュータを機能させるためのプログラム。
【発明の詳細な説明】
【技術分野】
【０００１】
本開示は、情報処理装置及びプログラムに関する。
【背景技術】
【０００２】
従来、例えば下記の特許文献１には、現在の脈拍状態を容易に把握でき、適正な運動を適正な時間行わせることを想定した技術が記載されている。また、下記の非特許文献１には、座位行動の長さと健康リスクの関係について記載されている。
【先行技術文献】
【特許文献】
【０００３】
【特許文献１】特開２００８−１６７７８３号公報
【非特許文献】
【０００４】
【非特許文献１】Mya Nelson、“New Research: Getting Up From Your Desk Can Putthe “Breaks” on Cancer”、２０１１年１１月３日、アメリカ癌研究協会（ＡＩＣＲ）、［平成２８年１１月１１日検索］、インターネット〈URL: http://www.aicr.org/press/press-releases/getting-up-from-your-desk.html〉
【発明の概要】
【発明が解決しようとする課題】
【０００５】
通常、人間は１日の中で座位、立位、運動などの状態を繰り返し行っている。近年の研究によれば、座位の状態である時間が長く続くほど、人の健康状態は悪化することが知られている。例えば、十分な運動を行っていても、運動していない時間帯に椅子に座り続けていると、座位の状態が長く続くため健康状態は悪化してしまう。
【０００６】
上記特許文献１に記載された技術は、脈拍状態に基づいて適正な運動を行わせることを想定してはいるものの、座位の状態の継続時間に起因して健康状態を改善することは何ら考慮していない。
【０００７】
そこで、座位の時間が長時間継続しないようにすることで、健康状態を良好に保つことが求められていた。
【課題を解決するための手段】
【０００８】
本開示によれば、ユーザの運動状態に関する情報に基づいて、ユーザの前記運動状態が座位の状態であるか立位の状態であるかを判断する判断部と、ユーザの前記運動状態が座位の状態から立位の状態に変わった時刻及びユーザの前記運動状態が座位の状態から立位の状態に変わった回数の少なくともいずれか一方を表示するための処理を行う表示処理部と、を備える、情報処理装置が提供される。
【０００９】
また、本開示によれば、ユーザの運動状態に関する情報に基づいて、ユーザの前記運動状態が座位の状態であるか立位の状態であるかを判断する手段、ユーザの前記運動状態が座位の状態から立位の状態に変わった時刻及びユーザの前記運動状態が座位の状態から立位の状態に変わった回数の少なくともいずれか一方を表示するための処理を行う手段、としてコンピュータを機能させるためのプログラムが提供される。
【発明の効果】
【００１０】
本開示によれば、座位の時間が長時間継続しないようにすることで、健康状態を良好に保つことが可能となる。
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１１】
【図１】座位行動の長さと健康リスクの関係を示す模式図である。
【図２】本実施形態に係る装置の構成を示す模式図である。
【図３】判断部によるユーザの行動の判定を説明するための模式図である。
【図４】装置のタッチパネルディスプレイにおける表示例を示す模式図である。
【図５】座位から立位に変化した時刻を示す表示を表示するための処理を示すフローチャートである。
【図６】座位連続時間がＸ分未満であったことを示す表示、座位連続時間がＹ分未満であったことを示す表示をタッチパネルディスプレイに表示した例を示す模式図である。
【図７】座位連続時間がＸ分未満であったことを示す表示、座位連続時間がＹ分未満であったことを示す表示を表示するための処理を示すフローチャートである。
【図８】時計型デバイスやヘッドマウントディスプレイ（ＨＭＤ）などのウェアラブルデバイスとスマートフォンが無線通信を行う構成例を示す模式図である。
【図９】図８の構成に加え、スマートフォンがサーバと通信する例を示す模式図である。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
なお、説明は以下の順序で行うものとする。
１．背景
２．本実施形態に係る装置の構成例
３．ユーザの行動の判定
４．タッチパネルディスプレイにおける表示例と表示のための処理について
５．スマートフォン、サーバなどの他装置との連携について
【００１４】
１．背景
通常、人が日常生活を行う際の状態として、人が椅子に座っている座位の状態、人が立ち上がっている立位の状態、軽い運動を行っている状態、激しい運動を行っている状態などがある。このような日常生活における人の状態は、健康と関連があることが知られている。図１は、一例として、非特許文献１に記載された、アメリカ癌研究協会（ＡＩＣＲ）による、座位行動の長さと健康リスクの関係を示す模式図である。図１では、４名のサンプル１０，１２，１４，１６について、１日の各人の状態を立位（Ｂｒｅａｋ）２０、座位（Ｓｅｄｅｎｔａｒｙ）２２、運動（Ｍｏｄｅｒａｔｅ／Ｖｉｇｏｒｏｕｓ）２４に分類し、癌のリスク（Ｃａｎｃｅｒ  Ｒｉｓｋ  Ｉｎｄｉｃａｔｏｒｓ）を対応付けている。図１に示すように、座位２２の時間が短いほど、癌のリスクが低くなっていることが判る。また、サンプル１０，１２，１４は、１日の運動２４の合計時間がほぼ同じであるが、座位２２の時間が長いほど、癌のリスクが高くなっている。従って、適度に運度をした場合であっても、座位２２の時間が長いと癌のリスクが高くなり、運動のみでは癌のリスクを軽減できないことが判る。特に、サンプル１０のように座位２２の間に立位２０を細かく入れて座位２２の時間を分断することで、癌のリスクを軽減できることが判る。
【００１５】
以上の観点から本実施形態では、以下に詳細に説明するように、座位２２に関する情報をユーザインタフェースを通じてユーザに提示することで、座位２２の状態が長く継続しないようユーザに警告を与え、ユーザの健康状態を維持するようにする。
【００１６】
２．本実施形態に係る装置の構成例
図２は、本実施形態に係る装置１００の構成を示す模式図である。装置１００は、スマートフォン、ウェアラブルデバイスなどであって、ユーザの身体に装着される。図２に示すように、本実施形態に係る装置１００は、タッチパネルディスプレイ１０２、運動状態センサ１０４、通信部１０６、記憶部１０８、スピーカ１１０、マイク１１２を有して構成されている。制御部１２０は、判断部１２２、認識部１２４、表示制御部（表示処理部）１２６、音声制御部（音声処理部）１２８を有して構成されている。なお、図２に示す装置１００の各構成要素は、ハードウェア、またはＣＰＵなどの中央演算処理装置とこれを機能させるためのプログラムから構成されることができる。なお、装置１００は、タッチパネルディスプレイ１０２、通信部１０６、スピーカ１１０、マイク１１２を備えていなくても良い。
【００１７】
運動状態センサ１０４は、心拍数センサと加速度センサを含む。制御部１２０の判断部１２２は、運動状態センサ１０４の検出値から、ユーザの状態が座位であるか、立位であるか、軽い運動しているか、激しい運動をしているか、等を判断する。判断部１２０は、ユーザの状態が座位から立位に変わった時刻、及び所定時間（例えば１日）内にユーザの状態が座位から立位に変わった回数をも判断することができる。認識部１２４は、判断部１２２の判断結果に基づいて、ユーザの状態が座位行動であるか否かを認識するとともに、座位連続時間を認識する。表示制御部１２６は、判断部１２２、認識部１２４による処理結果をタッチパネルディスプレイ１０２に表示するための処理を行う。音声制御部１２８は、判断部１２２、認識部１２４による処理結果をスピーカ１１０から音声として出力するための処理を行う。なお、運動状態センサ１０４は、体温センサなど他の生体情報を検出するセンサを含んでいても良く、判断部１２４は心拍や体温など複数の生体情報を用いて運動状態を判定しても良い。
【００１８】
３．ユーザの行動の判定
図３は、判断部１２２によるユーザの行動の判定を説明するための模式図である。先ず、ステップＳ１０において、安静時の心拍数と活動時の心拍数からユーザの活動量を判定する。この際、心拍数がしきい値ＴＨ１未満であれば座位行動、心拍数がしきい値ＴＨ１以上しきい値ＴＨ２未満であれば低活動（立位）、心拍数がしきい値ＴＨ２以上であれば中活動、高活動（軽い運動、激しい運動）のように活動量を判定する。
【００１９】
次に、ステップＳ１２において、加速度センサの検出値からユーザが活動状態であるか否かを判定する。この際、加速度が所定のしきい値以上であれば、ユーザが活動の状態であると判定する。そして、ステップＳ１４において、ステップＳ１０とステップＳ１２の判定に基づいて、座位行動の時間を自動計測する。このように、座位、立位、活動であるかの区別は、心拍数センサによる判定結果に加え、加速度センサによる活動量の判定結果に応じて座決定される。なお、一例として、立位とは、ユーザの運動量が歩行相当の運動量以下であって座位相当の運動量を超える場合をいうものとする。また、活動とは、軽い運動、激しい運動など、歩行相当の運動量を超えた状態をいうものとする。
【００２０】
４．タッチパネルディスプレイにおける表示例と表示のための処理について
図４は、装置１００のタッチパネルディスプレイ１０２における表示例を示す模式図である。タッチパネルディスプレイ１０２には、１日のユーザの行動に関し、運動などの比較的激しい活動をしている活動時間帯を示す表示２００、立位の時間帯を示す表示２０２、座位の時間帯を示す表示２０４が表示される。ここで、立位の時間帯を示す表示２０２は、歩行よりも軽い運動（立ち仕事など）が行われたことを示している。活動時間帯を示す表示２００は、立位の時間帯を示す表示２０２よりも濃い濃度で表示されることで、立位の時間帯を示す表示２０２と区別される。なお、図４に示す表示例は一例であって、同様の機能を表示するものであれば、他の表示形式を用いても良い。
【００２１】
また、タッチパネルディスプレイ１０２には、座位から立位に変化した時刻を示す表示２０６が表示される。以下では、表示２０６を表示するための処理について説明する。
【００２２】
図５は、座位から立位に変化した時刻を示す表示２０６を表示するための処理を示すフローチャートである。先ず、ステップＳ２０では、現在の状態が座位であるか否かを判定し、現在の状態が座位である場合はステップＳ２２へ進む。一方、現在の状態が座位でない場合は、ステップＳ２０で待機する。ステップＳ２２では、座位から立位に変わったか否かを判定し、座位から立位に変わった場合はステップＳ２４へ進む。ステップＳ２４では、座位から立位に変化した時刻を示す表示２０６を表示する。ステップＳ２４の後はステップＳ２０へ戻る。一方、ステップＳ２２で座位から立位に変わっていな場合は、ステップＳ２２で待機する。なお、上述したように、現在の状態が座位であるか否かの判定は、制御部１２０の判断部１２２によって行われる。
【００２３】
以上のようにして、図４のように座位から立位に変化した時刻を示す表示２０６が表示されると、ユーザは、表示２０６を視認することで、座位から立位に変化する頻度を確認できる。これにより、ユーザは、座位から立位に変化する頻度が少なければ、健康に影響が生じることを認識することができ、自ら積極的に座位から立位に変化させることで、健康に対するリスクを回避できる。
【００２４】
図６は、図４に示した表示２０６の代わりに、座位連続時間がＸ分未満であったことを示す表示２０８、座位連続時間がＹ分未満であったことを示す表示２１０をタッチパネルディスプレイ１０２に表示した例を示している。また、図６に示すように、タッチパネルディスプレイ１０２の右下には、表示２０８の数（＝１３）と、表示２１０の数（＝３）が表示される。なお、表示２００，２０２，２０４，２０６については、図４と同様に表示される。
【００２５】
図７は、座位連続時間がＸ分未満であったことを示す表示２０８、座位連続時間がＹ分未満であったことを示す表示２１０を表示するための処理を示すフローチャートである。先ず、ステップＳ３０では、現在の状態が座位であるか否かを判定し、現在の状態が座位である場合はステップＳ３２へ進む。一方、現在の状態が座位でない場合は、ステップＳ３０で待機する。ステップＳ３２では、座位から立位に変わったか否かを判定し、座位から立位に変わった場合はステップＳ３４へ進む。一方、ステップＳ３２で座位から立位に変わっていない場合は、ステップＳ３２で待機する。
【００２６】
ステップＳ３４では、前回の座位連続時間がＸ分以上であったか否かを判定する。一例として、Ｘ＝３０とする。そして、ステップＳ３４で前回の座位連続時間がＸ分未満の場合は、ステップＳ３６へ進む。ステップＳ３６では、ステップＳ３２で座位から立位に変わったと判定された時刻において、その前の座位連続時間がＸ分未満であったことを示す表示２０８を表示する。また、図４で説明した表示２０８の数についても表示を行う。ステップＳ３６の後はステップＳ３０に戻る。
【００２７】
また、ステップＳ３４で前回の座位連続時間がＸ分以上の場合は、ステップＳ３８へ進む。ステップＳ３８では、前回の座位連続時間がＹ分以上であったか否かを判定する。一例として、Ｙ＝６０とする。そして、ステップＳ３８で前回の座位連続時間がＹ分未満の場合は、ステップＳ４０へ進む。ステップＳ４０では、ステップＳ３２で座位から立位に変わったと判定された時刻において、その前の座位連続時間がＹ分未満であったことを示す表示２１０を表示する。ステップＳ４０の後はステップＳ３０に戻る。また、ステップＳ３８で前回の座位連続時間がＹ分以上の場合は、ステップＳ３０に戻る。なお、上述したように、座位連続時間の認識は、制御部１２０の認識部１２４によって行われる。認識部１２４は、認識部１２４は、座位が継続していた時間と１又は複数のしきい値（Ｘ分、Ｙ分）とを比較した結果を認識する。
【００２８】
以上のようにして、図６のように座位連続時間がＸ分未満であったことを示す表示２０８、座位連続時間がＹ分未満であったことを示す表示２１０が表示されると、ユーザは、表示２０８，２１０を視認することで、座位から立位に変化する頻度と、座位連続時間を確認できる。これにより、ユーザは、座位から立位に変化する頻度が少なければ、健康に影響が生じることを認識することができ、自ら積極的に座位から立位に変化させることで、健康に対するリスクを回避できる。また、ユーザは、表示２０８，２１０を視認することで、座位連続時間を確認できるため、座位連続時間が比較的長い場合は、健康に影響が生じることを認識することができ、自ら積極的に座位連続時間を短くすることで、健康に対するリスクを回避できる。
【００２９】
上述した表示２０６，２０８，２１０を表示する際には、音声を同時に発生させても良い。この場合、音声制御部１２６が、表示２０６，２０８，２１０に対応する音声を発生させる。これにより、ユーザは音声によって表示２０６，２０８，２１０が示す内容を確実に認識できる。また、表示２０６，２０８，２１０を表示する際には、「連続立位時間が長くなっています。立ち上がってください。」などのメッセージをともに表示しても良い。
【００３０】
５．スマートフォン、サーバなどの他装置との連携について
上述した例では、ユーザの身体に装着される装置１００が全ての処理を行うこととしたが、装置１００の制御部１２０の構成は、他の装置が備えていても良い。図８は、時計型デバイスやヘッドマウントディスプレイ（ＨＭＤ）などのウェアラブルデバイスを装置１００とし、装置１００とスマートフォン２００が無線通信を行う構成例を示している。図８に示すように、スマートフォン２００は、装置１００の制御部１２０と同様に構成される制御部２２０を備えている。また、スマートフォン２００は、装置１００と同様にタッチパネルディスプレイ２０２、運動状態センサ２０４、通信部２０６、記憶部２０８、スピーカ２１０、マイク２１２を有して構成される。装置１００の運動状態センサ１０４が検出した心拍数、加速度の検出値は、通信部１０６から通信部２０６へ送られる。スマートフォン２００の制御部２２０は、制御部１２０と同様の処理を行う。スマートフォン２０２のタッチパネルディスプレイ２０２には、図４、図６と同様に表示が行われる。また、主制御部２２０の処理結果を通信部２０６から通信部１０６へ送信し、装置１００のタッチパネルディスプレイ１０２に図４、図６の表示を行うこともできる。
【００３１】
図８の制御部１２０の判断部１２２、認識部１２４と、制御部２２０の判断部２２２、認識部２２４はそれぞれ同様の機能を備えるため、両者が協働して判断部１２２，２２４、認識部１２４，２２４の処理を行っても良い。また、スマートフォン２００の制御部２２０の判断部２２２、認識部２２４のみで処理を行う場合、主制御部１２０の判断部１２２、認識部１２４は設けなくても良い。
【００３２】
また、図９は、図８の構成に加え、スマートフォン２００がサーバ３００と通信する例を示す模式図である。サーバ３００は、例えばクラウド上に設けられていても良い。図９に示すように、サーバ３００は、装置１００の制御部１２０が備える判断部１２２、認識部１２４と同様に構成される判断部３２２、認識部３２４を備えている。また、サーバ３００は、スマートフォン２００と通信を行う通信部３０６、各種データを格納する記憶部３２６を備えている。装置１００の運動状態センサ１０４が検出した心拍数、加速度の検出値は、通信部１０６からスマートフォン２００の通信部２０６へ送られる。更に、装置１００の運動状態センサ１０４が検出した心拍数、加速度の検出値は、スマートフォン２００の通信部２０６からサーバ３００の通信部３０６へ送られる。サーバ３００の判断部３２２、認識部３２４は、装置１００の制御部１２０が備える判断部１２２、認識部１２４と同様の処理を行う。サーバ３００の判断部３２２、認識部３２４の処理結果は、通信部３０６から通信部２０６に送られ、スマートフォン２００のタッチパネルディスプレイ２０２には、図４、図６と同様に表示が行われる。また、サーバ３００の判断部３２２、認識部３２４の処理結果をスマートフォン２００の通信部２０６から装置１００の通信部１０６へ送信し、装置１００のタッチパネルディスプレイ１０２に図４、図６の表示を行うこともできる。
【００３３】
なお、装置１００の制御部１００、スマートフォン２００、サーバ３００の各構成要素は、ハードウェア、またはＣＰＵなどの中央演算処理装置とこれを機能させるためのプログラム（ソフトウェア）から構成されることができる。また、通信部１０６、通信部２０６、通信部３０６は、無線又は有線により通信を行うが、その通信の方式は特に限定されるものではない。
【００３４】
図９においても、制御部１２０の判断部１２２、認識部１２４と、制御部２２０の判断部２２２、認識部２２４、サーバ３００の判断部３２２、認識部３２４はそれぞれ同様の機能を備えるため、これらが協働して判断部１２２，２２２，３２２、認識部１２４，２２４，３２４の処理を行っても良い。また、サーバ３００の判断部３２２、認識部３２４のみで処理を行う場合、主制御部１２０の判断部１２２、認識部１２４と主制御部２２０の判断部２２２、認識部２２４は設けなくても良い。
【００３５】
以上説明したように本実施形態によれば、座位から立位に変化した時刻を示す表示２０６、座位連続時間がＸ分未満であったことを示す表示２０８、座位連続時間がＹ分未満であったことを示す表示２１０を表示するようにした。これにより、ユーザは、表示２０６、表示２０８，２１０を視認することで、座位から立位に変化する頻度と、座位連続時間を確認でき、座位から立位に変化する頻度が少なければ、健康に影響が生じることを認識することができるため、自ら積極的に座位から立位に変化させることで、健康に対するリスクを回避できる。また、ユーザは、表示２０８，２１０を視認することで、座位連続時間を確認できるため、座位連続時間が比較的長い場合は、健康に影響が生じることを認識することができ、自ら積極的に座位連続時間を短くすることで、健康に対するリスクを回避できる。
【００３６】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００３７】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００３８】
なお、以下のような構成も本開示の技術的範囲に属する。
（１）  ユーザの運動状態に関する情報に基づいて、ユーザの前記運動状態が座位の状態であるか立位の状態であるかを判断する判断部と、
ユーザの前記運動状態が座位の状態から立位の状態に変わった時刻及びユーザの前記運動状態が座位の状態から立位の状態に変わった回数の少なくともいずれか一方を表示するための処理を行う表示処理部と、
を備える、情報処理装置。
（２）  前記判断部は、前記情報に基づいて、ユーザの運動量が歩行相当の運動量以下であって座位相当の運動量を超える場合に立位であると判定する、前記（１）に記載の情報処理装置。
（３）  前記表示処理部は、ユーザが所定時間内に座位の状態から立位の状態に変わった回数を表示するための処理を行う、前記（１）又は（２）に記載の情報処理装置。
（４）  前記判断部は、前記情報に基づいて、ユーザの前記運動状態が歩行相当の運動量を超えている場合にユーザの前記運動状態が活動の状態であると判定し、
前記表示処理部は、ユーザが座位、立位、活動のいずれかの状態にあるかを表示する、前記（１）〜（３）のいずれかにに記載の情報処理装置。
（５）  ユーザの前記運動状態が座位の状態から立位の状態に変わった場合に、座位が継続していた時間を認識する認識部を備え、
前記表示処理部は、座位が連続していた時間を表示するための処理を行う、前記（１）〜（４）のいずれかに記載の情報処理装置。
（６）  前記認識部は、座位が継続していた時間と１又は複数のしきい値とを比較した比較結果を認識し、
前記表示処理部は、前記比較結果を表示するための処理を行う、前記（５）に記載の情報処理装置。
（７）  ユーザの前記運動状態が座位の状態から立位の状態に変わった前記時刻及びユーザの前記運動状態が座位の状態から立位の状態に変わった前記回数の少なくともいずれか一方を音声出力するための処理を行う音声制御部を更に備える、前記（１）〜（６）のいずれかに記載の情報処理装置。
（８）  ユーザの運動状態に関する情報に基づいて、ユーザの前記運動状態が座位の状態であるか立位の状態であるかを判断する手段、
ユーザの前記運動状態が座位の状態から立位の状態に変わった時刻及びユーザの前記運動状態が座位の状態から立位の状態に変わった回数の少なくともいずれか一方を表示するための処理を行う手段、
としてコンピュータを機能させるためのプログラム。
【符号の説明】
【００３９】
１００    装置
１２２，２２２，３２２    判断部
１２４，２２４，３２４    認識部
１２６，２２６    表示制御部
【図１】
2018078998.tif 000003
【図２】
2018078998.tif 000004
【図３】
2018078998.tif 000005
【図４】
2018078998.tif 000006
【図５】
2018078998.tif 000007
【図６】
2018078998.tif 000008
【図７】
2018078998.tif 000009
【図８】
2018078998.tif 000010
【図９】
2018078998.tif 000011